(57)【要約】【課題】  一般廃棄物である単独式または合併式の浄化槽内を清掃する浄化槽清掃用のバキュームカーにおいて、吸引力を高めることにより、浄化槽の清掃効率を向上させると共に、作業時間を短縮させることができる浄化槽清掃用バキュームカーを提供する。【解決手段】  車両本体２と、車両本体２に搭載された、浄化槽内の汚物を収容するタンク３と、タンク３の上部に配置されたホースリール５とを具備する浄化槽清掃用のバキュームカー１において、車両本体２に、水封式真空ポンプ装置１０を搭載した。タンク３後方の吸引コック６には、浄化槽用水張車の排出ホースを接続する転結具を装着することができる。【選択図】      図１
0003111783.tif 000002
【実用新案登録請求の範囲】
【請求項１】
車両本体と、該車両本体に搭載された、浄化槽内の汚物を収容するタンクと、該タンクの上部に配置されたホースリールとを具備する浄化槽清掃用のバキュームカーにおいて、前記車両本体に、水封式真空ポンプ装置を搭載したことを特徴とする浄化槽清掃用バキュームカー。
【請求項２】
前記タンク後方の吸引コックに、浄化槽用水張車の排出ホースを接続する転結具を装着した請求項１記載の浄化槽清掃用バキュームカー。  
【考案の詳細な説明】
【技術分野】
【０００１】
本発明は、一般廃棄物である単独式または合併式の浄化槽内の汚物を迅速に、且つ効率よく吸引回収することができる浄化槽清掃用バキュームカーに関する。
【背景技術】
【０００２】
従来より、汚泥、土砂、廃液等の産業廃棄物やその他の回収対象物を吸引回収する吸引車は一般によく知られている。例えば、特許文献１には、回収対象物を吸引するために車体に搭載されたホッパと、前記ホッパ内から流れる汚れた空気を清浄化する集塵器と、前記ホッパ内を真空状態に設定する水封式の真空ポンプからなり、前記集塵器からの空気と共に吸引された微粉塵を水封用の水によって捕捉する湿式集塵槽を形成するブロアと、前記ブロアを通って流れる空気の除塵および消音を行うサイレンサを備えた吸引車が記載されている。
【特許文献１】特開２００３−２３７９０６号公報（第１−２頁、図１，図２）
【考案の開示】
【考案が解決しようとする課題】
【０００３】
しかしながら、上掲特許文献記載の吸引車に限らず、一般に知られている吸引車においては、主に汚泥、土砂、廃液等の産業廃棄物を中心に吸引回収することを目的とするもので、ホースの長さやタンクの形状等において、単独や合併式の浄化槽内の汚物を吸引するには不向きであった。また、タンク内の汚泥等を廃棄する際、タンクを傾斜状に上昇させて開口部より廃棄処分させなければならず、それに伴う大掛かりな装置を必要とした。
【０００４】
そこで、本考案の目的は上記問題点を解消し、一般廃棄物である単独式または合併式の浄化槽内を吸引清掃する浄化槽清掃用バキュームカーにおいて、特に、吸引力及び速度を高めることにより、浄化槽の清掃効率を向上させると共に、作業時間を大幅に短縮させることができる浄化槽清掃用バキュームカーを提供することにある。
【課題を解決するための手段】
【０００５】
上記課題を解決するために、本考案の浄化槽清掃用バキュームカーにおいては、車両本体と、該車両本体に搭載された、浄化槽内の汚物を収容するタンクと、該タンクの上部に配置されたホースリールとを具備する浄化槽清掃用のバキュームカーにおいて、前記車両本体に、水封式真空ポンプ装置を搭載したことを特徴とするものである。また、前記タンク後方の吸引コックには、浄化槽用水張車の排出ホースを接続する転結具を好適に装着することができる。
【考案の効果】
【０００６】
本考案により一般浄化槽を清掃する専用のバキュームカーに水封式真空ポンプ装置を搭載したことで、浄化槽内の汚物を吸引する力が高まり、清掃効率が向上すると共に、作業時間を大幅に短縮させることができる。また、前記タンク後方の吸引コックに転結具を装着することにより、浄化槽清掃後における浄化槽用水張車の水張り作業を容易に行うことができる。
【考案を実施するための最良の形態】
【０００７】
以下、本考案における浄化槽清掃用バキュームカーの実施の形態を図面に基づいて説明する。
図１に示す浄化槽清掃用バキュームカー１は、単独式または合併式の浄化槽内の汚物を吸引回収する浄化槽清掃専用のバキュームカーであり、車両本体２と、かかる車両本体２に搭載された汚物を収容させる楕円筒状形のタンク３と、タンク３上部のホースリール５に巻回されたホース４とを具備する。また、タンク３の後部には、吸引コック６と排出コック７が設置されている。
【０００８】
車両本体２の座席部８とタンク３との間には、水封式真空ポンプ装置１０が搭載されている。水封式真空ポンプ装置１０により、浄化槽内の汚物を吸引回収する能力を高めることができ、これにより、単独式または合併式の浄化槽の清掃時間を大幅に短縮することができる。
【０００９】
水封式真空ポンプ装置１０は、図２に示すように、真空ポンプ１１および封水タンク１２と、真空ポンプ１１と封水タンク１２との間に設置された空気排出管１３、第一通気管１４、第二通気管１５、封水配管１６および、第一通気管１４と第二通気管１５との間に介在された吸排切替コック１７とで主に構成されている。また、封水タンク１２には空間部１８が形成されており、かかる空間部１８にはタンク３の主マンホール９に接続管１９を介して連結されている。さらに、封水タンク１２内には、封水タンク１２内の温度上昇を防ぐための水Ｗが収容されている。
【００１０】
水封式真空ポンプ装置１０を作動させ、浄化槽内の汚物を吸引回収する場合、先ず、吸排切替コック１７を解除した状態で真空ポンプ１１を始動させる。すると、第一通気管１４と第二通気管１５から空気が吸引されて空間部１８が減圧され、それに伴いタンク３内の空気が接続管１９を通って吸引され、タンク３内が真空状態となる。この状態でタンク３後部の吸引コック６を解除させることで、ホース４の先端から外気が勢い良く吸引され、汚物を短時間で吸引回収することができる。また、真空ポンプ１１内の空気は空気排出管１３より封水タンク１２内を通って外部に排気される。なお、前記吸排切替コック１７を切り替えることで、タンク２内の汚物は排出コック７より排出され廃棄処分することができる。
【００１１】
本考案により水封式真空ポンプ装置１０を浄化槽清掃用バキュームカー１に搭載したことにより、浄化槽内の汚物を吸引する力が高まり、洗浄効率が向上すると共に、作業時間を大幅に短縮させることができる。その結果、汚物を吸引する作業効率としては、従来、深さ７〜８ｍ、水平で５０ｍ程度が限度であったオイル式ポンプのバキュームカーの吸引力に比べ、本考案においては、深さが１５ｍ、水平状態で１００ｍ以上離れた汚物まで吸引することが可能となった。
【００１２】
本考案の他の好適例として、前記タンク２後方の吸引コック６に、浄化槽用水張車ａの排出ホース２３を接続する連結具２０を装着したものを図３に示す。かかる連結具２０は略Ｔ字形状を呈しており、一方の接続部２１にはホース４が、他方の接続部２２には、浄化槽用水張車ａの排出コック２５に連結されたホース２３がそれぞれ装着される。また、接続部２２の近傍には切替コック２４が具備されている。なお、前記ホース２３の先端は、着脱が容易となるカムロック方式にて取り付けられている。
【００１３】
前記連結具２０を装着することにより、汚物を吸引ホース４にて吸引した後、切換コック２４を解除し、浄化槽用水張車ａの排出コック２５を解除して水を給水させることで、吸引ホース４を利用して浄化槽内に水張作業を行うことができる。これにより、従来の浄化槽用水張車ａの排水ホース２３を浄化槽内まで移動させる作業がなくなり、作業効率の向上を図ることができる。
【図面の簡単な説明】
【００１４】
【図１】本考案の浄化槽清掃用バキュームカーの全体図である。
【図２】水封式真空ポンプの概略図である。
【図３】ホースの連結具を示す要部拡大図である。
【符号の説明】
【００１５】
１  浄化槽清掃用バキュームカー
２  車体本体
３  タンク
４  ホース
５  ホースリール
６  吸引コック
７  排出コック
８  運転席
９  主マンホール
１０  水封式真空ポンプ装置
１１  真空ポンプ
１２  封水タンク
１３  空気排出管
１４  第一通気管
１５  第二通気管
１６  封水配管
１７  吸排切替コック
１８  空間部
１９  接続管
２０  連結具
２１  接続部
２２  接続部
２３  排水ホース
２４  切替コック
２５  排出コック
ａ  浄化槽用水張車
Ｗ  水
【図１】
0003111783.tif 000003
【図２】
0003111783.tif 000004
【図３】
0003111783.tif 000005